(57)【要約】      （修正有）【課題】商用電源の給電停止期間があった場合であっても、簡便に照明器具内の器具時計回路の現在時刻と本来の現在時刻のずれを補正できるようにする。【解決手段】現在時刻を確認するためのリモコン時計回路２３を備えたバッテリにより給電されるリモコン送信機２において、リモコン時計回路２３の現在時刻を一定時間毎にリモコン送信機２より送信し、照明器具１への商用電源１５からの給電が停止した場合であっても、商用電源１５からの給電が復帰すれば、器具時計回路１４の現在時刻を絶えずリモコン時計回路２３の現在時刻と同一に補正する制御としたことを特徴とする放電灯点灯装置。【選択図】    図１
2004207194.tif 000002
【特許請求の範囲】
【請求項１】
リモコン信号受光部１３を備え、リモコン信号受光部１３で得られた信号を処理するマイコン制御部１２を備え、マイコン制御部１２からの信号により制御されるインバータ回路部１１を備え、現在時刻をカウントする器具時計回路１４を備えた点灯、消灯、調光等の制御及びある設定された時間に点灯、消灯の制御が可能な商用電源１５により給電される照明器具１と、リモコン信号を制御するリモコン制御部２１を備え、リモコン制御部２１の制御信号によりリモコン信号を発生する発光部２２を備え、現在時刻を確認するためのリモコン時計回路２３を備えたバッテリ２４により給電されるリモコン送信機２において、リモコン時計回路２３の現在時刻を一定時間毎にリモコン送信機２より送信し、照明器具１への商用電源１５からの給電が停止した場合であっても、商用電源１５からの給電が復帰すれば、器具時計回路１４の現在時刻を絶えずリモコン時計回路２３の現在時刻と同一に補正する制御としたことを特徴とする放電灯点灯装置。
【発明の詳細な説明】
【０００１】
【産業上の利用分野】
本発明はリモコン送信機にてランプの制御が可能な照明器具における、リモコン送信機と照明器具内の放電灯点灯装置との時間設定の制御に関する。
【０００２】
【従来の技術】
従来装置の構成図を図２に示す。図２はリモコン送信機２にて点灯、消灯、調光等の制御が可能な照明器具１におけるリモコン信号受光部１３、及びリモコン信号を受けて点灯回路であるインバータ回路部１１へ制御信号を出力するマイコン制御部１２、更に点灯回路であるインバータ回路部１１にて構成される。さらにマイコン制御部１２にはある設定された時間になるとマイコン制御部１２からインバータ回路部１１へ制御信号が送られランプ１０を点灯あるいは消灯させることが出来るよう現在の時間を確認するための器具時計回路１４が接続されている。照明器具１内のリモコン信号受光部１３、マイコン制御部１２、インバータ回路部１１、器具時計回路１４は照明器具１に接続される商用電源１５よりエネルギーを得て動作する。なお、商用電源１５と照明器具１との接続はスイッチ１６を介して行なわれている。このスイッチ１６は一般的に壁スイッチが用いられる場合が多い。一方、リモコン送信機２内部にはリモコン信号を制御するリモコン制御部２１と、リモコン制御部２１の制御信号によりリモコン信号を発生する発光部２２より構成され、これらは接続されたバッテリー２４よりエネルギーが供給され動作をする。
【０００３】
いま、スイッチ１６が投入され照明器具１のランプ１０が点灯している状態のときに現在時刻を設定するためにリモコン送信機２にて操作をすると、リモコン制御部２１は発光部２２に制御信号を送り、この制御信号により発光部２２より現在時刻設定のリモコン信号が照明器具１へ送信される。このリモコン信号をリモコン信号受光部１３が受けて、マイコン制御部１２にリモコン信号が伝達されると、マイコン制御部１２は器具時計回路１４を現在時刻に設定する。
次に、ある時刻にランプを点灯させる予約設定を行なうにあたり、点灯予約時間を設定するためにリモコン送信機２にて操作をすると、リモコン制御部２１は発光部２２に制御信号を送り、この制御信号により発光部２２より点灯予約時間設定のリモコン信号が送信される。このリモコン信号をリモコン信号受光部１３が受けて、マイコン制御部１２にリモコン信号が伝達されると、マイコン制御部１２は点灯予約時間を記憶する。
【０００４】
この後、スイッチ１６をオフして照明器具１のランプ１０を消灯し、しばらくの時間経過後再びスイッチ１６をオンして、照明器具１のランプを点灯する。この後にリモコン送信機２にてランプ１０を消灯するという操作がなされたとする。この場合、しかる後に照明器具使用者が設定した点灯予約時間に到達するが、スイッチ１６をオフしている期間は器具時計回路１４には給電されていないことから、器具時計回路１４の現在時刻はスイッチ１６をオフした時点から再度スイッチ１６をオンするまでの期間進まず、停止してしまっていたため、器具時計回路１４の現在時刻は本当の現在時刻から遅れを生じており、マイコン制御部１２はまだ点灯予約時間に到達していないと判断しランプ１０は点灯されない。
しばらくの時間経過（先にスイッチ１６をオフした時点から再度スイッチ１６をオンするまでの時間分）し、器具時計回路１４の現在時刻が点灯予約時間に到達するとはじめてマイコン制御部１２はインバータ回路部１１へ制御信号を出力しランプ１０が点灯することとなる。
この構成においては、スイッチ１６をオフすることがあった場合、オフしている期間分だけ、照明器具１内の器具時計回路１４の現在時刻が、本来の現在時刻より遅れを生じてしまうため、本来設定した時刻に照明器具１のランプ１０の点灯、消灯等の制御が出来なくなってしまう。
【０００５】
【発明が解決しようとする課題】
上記従来技術は、照明器具に商用電源が給電されず、照明器具内の器具時計回路の現在時刻が、本来の現在時刻より遅れを生じてしまった場合であっても、この遅れを補正する機能がないため、本来の設定時間に照明器具の制御ができないという問題点があった。
本発明の目的は商用電源の給電停止期間があった場合であっても、簡便に照明器具内の器具時計回路の現在時刻と本来の現在時刻のずれを補正することにある。
【０００６】
【課題を解決するための手段】
上記目的を達成するために、本発明はリモコン送信機内にリモコン時計回路を設け、一定時間毎にリモコン時計回路の現在時刻を照明器具に送信している。
リモコン送信機内のリモコン制御部は一定時間毎に発光部より、リモコン時計回路の現在時刻を送信する。この一定時間毎に送信されてくるリモコン信号をリモコン信号受光部が受けて、マイコン制御部にリモコン信号が伝達されると、マイコン制御部は器具時計回路を送信されてきた現在時刻に都度再設定するので、器具時計回路の現在時刻はリモコン時計回路の現在時刻と絶えず同一時刻となる。
【０００７】
【発明の実施の形態】
本発明の実施形態を図１により説明する。図１はリモコン送信機２にて点灯、消灯、調光等の制御が可能な照明器具１におけるリモコン信号受光部１３、及びリモコン信号を受けて点灯回路であるインバータ回路部１１へ制御信号を出力するマイコン制御部１２、更に点灯回路であるインバータ回路部１１にて構成される。さらにマイコン制御部１２にはある設定された時間になるとマイコン制御部１２からインバータ回路部１１へ制御信号が送られランプ１０を点灯あるいは消灯させることが出来るよう現在の時間を確認するための器具時計回路１４が接続されている。照明器具１内のリモコン信号受光部１３、マイコン制御部１２、インバータ回路部１１、器具時計回路１４は照明器具１に接続される商用電源１５よりエネルギーを得て動作する。なお、商用電源１５と照明器具１との接続はスイッチ１６を介して行なわれている。このスイッチ１６は一般的に壁スイッチが用いられる場合が多い。一方、リモコン送信機２内部にはリモコン信号を制御するリモコン制御部２１と、リモコン制御部２１の制御信号によりリモコン信号を発生する発光部２２と現在時刻を確認するためのリモコン時計回路２３より構成され、これらは接続されたバッテリー２４よりエネルギーが供給され動作をする。
【０００８】
いま、スイッチ１６が投入され照明器具１のランプ１０が点灯している状態のときに現在時刻を設定するためにリモコン送信機２にて操作をすると、リモコン制御部２１はリモコン時計回路２３を現在時刻に設定するとともに、発光部２２に制御信号を送り、この制御信号により発光部２２より現在時刻設定のリモコン信号が照明器具１へ送信される。このリモコン信号をリモコン信号受光部１３が受けて、マイコン制御部１２にリモコン信号が伝達されると、マイコン制御部１２は器具時計回路１４を現在時刻に設定する。これにより、リモコン送信機２内のリモコン時計回路２３と照明器具１内の器具時計回路１４の現在時刻は同一時刻に設定される。
リモコン送信機２内のリモコン制御部２１は、照明器具１の使用者が特に操作を行なわなくても、ある決められた一定時間毎（例えば１０分毎）に自動的にリモコン時計回路２３の現在時刻を発光部２２より照明器具１へ送信する。
【０００９】
次に、ある時刻にランプを点灯させる予約設定を行なうにあたり、点灯予約時間を設定するためにリモコン送信機２にて操作をすると、リモコン制御部２１は発光部２２に制御信号を送り、この制御信号により発光部２２より点灯予約時間設定のリモコン信号が送信される。このリモコン信号をリモコン信号受光部１３が受けて、マイコン制御部１２にリモコン信号が伝達されると、マイコン制御部１２は点灯予約時間を記憶する。
この後、スイッチ１６をオフして照明器具１のランプ１０を消灯し、しばらくの時間経過後再びスイッチ１６をオンして、照明器具１のランプを点灯する。この場合、スイッチ１６をオフして照明器具１への商用電源１５からの給電がなされていない間、照明器具１内の器具時計回路１４は停止してしまい、本来の現在時刻に対して器具時計回路１４の現在時刻は遅れを生じているが、スイッチ１６がオンされ商用電源１５からの給電が復帰したときに、リモコン送信機２から一定時間毎に送信されてくるリモコン時計回路２３の現在時刻に器具時計回路１４の現在時刻は再設定される。このため、リモコン送信機２内のリモコン時計回路２３と照明器具１内の器具時計回路１４との現在時刻は同一時刻となり、この時刻は照明器具１の使用者の考えている本来の現在時刻である。
【００１０】
この後にリモコン送信機２にてランプ１０を消灯するという操作がなされたとする。そして、しかる後に照明器具１の使用者が設定した点灯予約時間に到達すると、器具時計回路１４の現在時刻も点灯予約時間に到達し、マイコン制御部１２はインバータ回路部１１へ制御信号を出力しランプ１０が点灯する。
【００１１】
【発明の効果】
本発明によれば、リモコン送信機にて点灯、消灯、調光等の制御及びある設定された時間になると点灯、消灯の制御が可能な照明器具において、リモコン送信機内にリモコン時計回路を設け、一定時間毎にリモコン時計回路の現在時刻を照明器具に送信し、照明器具内の器具時計回路の現在時刻を都度再設定するので、器具時計回路の現在時刻はリモコン時計回路の現在時刻と絶えず同一時刻となる。
これにより、照明器具への給電がなされない期間があっても、簡便に本来設定した点灯、消灯の予約時刻通りに照明器具の制御が可能な構成とすることができる。
【図面の簡単な説明】
【図１】本発明装置の回路図である。
【図２】従来装置の回路図である。
【符号の説明】
１：照明器具
２：リモコン送信機
１０：ランプ
１１：インバータ回路部
１２：マイコン制御部
１３：リモコン信号受光部
１４：器具時計回路
１５：商用電源
１６：スイッチ
２１：リモコン制御部
２２：発光部
２３：リモコン時計回路
２４：バッテリ
【図１】
2004207194.tif 000003
【図２】
2004207194.tif 000004